【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
撮影によって自身に投影される光学像に応じた信号を出力する撮像素子と、
前記光学像を前記撮像素子上で移動させる像移動手段と、
前記撮像素子の出力信号に基づく判定用画像から人物の顔を検出して、前記判定用画像上における前記顔の位置及び向きを検出する顔検出手段と、
検出された前記顔の位置及び向きに基づいて前記像移動手段を制御し、その制御後の前記撮像素子の出力信号から構図調整画像を生成する構図制御手段と、を備えた
ことを特徴とする撮像装置。
【請求項２】
前記構図制御手段は、検出された前記顔の位置が前記構図調整画像上の特定位置に配置されるように前記像移動手段を制御し、検出された前記顔の向きに基づいて前記特定位置を設定する
ことを特徴とする請求項１に記載の撮像装置。
【請求項３】
撮影によって自身に投影される光学像に応じた信号を出力する撮像素子と、
前記撮像素子の出力信号に基づく判定用画像から人物の顔を検出して、前記判定用画像上における前記顔の位置及び向きを検出する顔検出手段と、
前記撮像素子の出力信号から得られる撮影画像の一部を切り出すことにより構図調整画像を生成する構図制御手段と、を備え、
前記構図制御手段は、検出された前記顔の位置及び向きに基づいて前記構図調整画像の切り出し位置を制御する
ことを特徴とする撮像装置。
【請求項４】
前記構図制御手段は、検出された前記顔の位置が前記構図調整画像上の特定位置に配置されるように前記切り出し位置を制御するとともに、検出された前記顔の向きに基づいて前記特定位置を設定する
ことを特徴とする請求項３に記載の撮像装置。
【請求項５】
前記構図制御手段は、前記構図調整画像の中心を基準として、前記顔が向いている方向の反対側よりに前記特定位置を設定する
ことを特徴とする請求項２または請求項４に記載の撮像装置。
【請求項６】
前記特定位置は、前記構図調整画像を水平方向に３等分する２本の線と、前記構図調整画像を垂直方向に３等分する２本の線と、によって形成される４交点の位置の何れかである
ことを特徴とする請求項２、請求項４または請求項５に記載の撮像装置。
【請求項７】
前記構図制御手段は、前記構図調整画像として１枚以上の構図調整画像を生成し、検出された前記顔の向きに基づいて、生成する前記構図調整画像の枚数を決定する
ことを特徴とする請求項１〜請求項６の何れかに記載の撮像装置。
【請求項８】
ｍを２以上の整数とし、ｎを２以上であって且つｍ未満の整数とした場合、
前記構図制御手段は、
検出された前記顔の向きが正面向きであるとき、互いに異なるｍ個の特定位置を設定して前記ｍ個の特定位置に対応する合計ｍ枚の構図調整画像を生成する一方、
検出された前記顔の向きが横向きであるとき、１つの特定位置を設定して１枚の構図調整画像を生成する、或いは、互いに異なるｎ個の特定位置を設定して前記ｎ個の特定位置に対応する合計ｎ枚の構図調整画像を生成する
ことを特徴とする請求項７に記載の撮像装置。
【請求項９】
撮影によって自身に投影される光学像に応じた信号を出力する撮像素子と、
前記光学像を前記撮像素子上で移動させる像移動手段と、
前記撮像素子の出力信号に基づく判定用画像から人物の顔を検出して、前記判定用画像上における前記顔の位置及び大きさを検出する顔検出手段と、
検出された前記顔の位置及び大きさに基づいて前記像移動手段を制御し、その制御後の前記撮像素子の出力信号から構図調整画像を生成する構図制御手段と、を備えた
ことを特徴とする撮像装置。
【請求項１０】
前記構図制御手段は、検出された前記顔の位置が前記構図調整画像上の特定位置に配置されるように前記像移動手段を制御し、検出された前記顔の大きさに基づいて前記特定位置を設定する
ことを特徴とする請求項９に記載の撮像装置。
【請求項１１】
撮影によって自身に投影される光学像に応じた信号を出力する撮像素子と、
前記撮像素子の出力信号に基づく判定用画像から人物の顔を検出して、前記判定用画像上における前記顔の位置及び大きさを検出する顔検出手段と、
前記判定用画像又は前記撮像素子の出力信号から得られる撮影画像の一部を切り出すことにより構図調整画像を生成する構図制御手段と、を備え、
前記構図制御手段は、検出された前記顔の位置及び大きさに基づいて前記構図調整画像の切り出し位置を制御する
ことを特徴とする撮像装置。
【請求項１２】
前記構図制御手段は、検出された前記顔の位置が前記構図調整画像上の特定位置に配置されるように前記切り出し位置を制御するとともに、検出された前記顔の大きさに基づいて前記特定位置を設定する
ことを特徴とする請求項１１に記載の撮像装置。
【請求項１３】
撮影によって自身に投影される光学像に応じた信号を出力する撮像素子と、
前記光学像を前記撮像素子上で移動させる像移動手段と、
前記撮像素子の出力信号に基づく判定用画像から人物の顔を検出して、前記判定用画像上における前記顔の位置を検出する顔検出手段と、
検出された前記顔の位置に基づいて前記像移動手段を制御し、その制御後の前記撮像素子の出力信号から構図調整画像を生成する構図制御手段と、
を備え、
前記構図制御手段は、検出された前記顔の位置が前記判定用画像上の中心付近にある場合には、前記構図調整画像の中心を基準として、少なくとも右斜め上、右斜め下、左斜め上及び左斜め下のいずれかに特定位置を設定するとともに、検出された前記顔の位置が前記特定位置に配置されるように前記像移動手段を制御することを特徴とする撮像装置。
【請求項１４】
撮影によって自身に投影される光学像に応じた信号を出力する撮像素子と、
前記撮像素子の出力信号に基づく判定用画像から人物の顔を検出して、前記判定用画像上における前記顔の位置を検出する顔検出手段と、
前記撮像素子の出力信号から得られる撮影画像の一部を切り出すことにより構図調整画像を生成する構図制御手段と、を備え、
前記構図制御手段は、検出された前記顔の位置が前記判定用画像上の中心付近にある場合には、前記構図調整画像の中心を基準として、少なくとも右斜め上、右斜め下、左斜め上及び左斜め下のいずれかに特定位置を設定するとともに、検出された前記顔の位置が前記特定位置に配置されるように前記切り出し位置を制御することを特徴とする撮像装置。
【請求項１５】
外部から撮影指示を受け付ける撮影指示受付手段と、
前記撮像素子の出力信号に基づく画像データを記録媒体に記録するための記録制御を行う記録制御手段と、を更に備え、
前記構図制御手段は、前記撮影指示に従って前記構図調整画像を生成するとともに、前記撮像素子の出力信号から前記構図調整画像と異なる基本画像を生成し、
前記記録制御手段は、前記構図調整画像及び前記基本画像の画像データを互いに関連付けて前記記録媒体に記録させる
ことを特徴とする請求項１、２、９、１０又は１３のいずれかに記載の撮像装置。
【請求項１６】
外部から撮影指示を受け付ける撮影指示受付手段と、
前記撮像素子の出力信号に基づく画像データを記録媒体に記録するための記録制御を行う記録制御手段と、を更に備え、
前記構図制御手段は、前記撮影指示に従って前記構図調整画像生成前の撮影画像である基本画像及び前記構図調整画像を生成し、
前記記録制御手段は、前記構図調整画像及び前記基本画像の画像データを互いに関連付けて前記記録媒体に記録させる
ことを特徴とする請求項３、４、１１、１２又は１４のいずれかに記載の撮像装置。
【請求項１７】
入力画像から人物の顔を検出して、前記入力画像上における前記顔の位置及び向きを検出する顔検出手段と、
前記入力画像の一部を切り出すことによって得た構図調整画像の画像データを出力する構図制御手段と、を備え、
前記構図制御手段は、検出された前記顔の位置及び向きに基づいて前記構図調整画像の切り出し位置を制御する
ことを特徴とする画像再生装置。
【請求項１８】
入力画像から人物の顔を検出して、前記入力画像上における前記顔の位置及び大きさを検出する顔検出手段と、
前記入力画像の一部を切り出すことによって得た構図調整画像の画像データを出力する構図制御手段と、を備え、
前記構図制御手段は、検出された前記顔の位置及び大きさに基づいて前記構図調整画像の切り出し位置を制御する
ことを特徴とする画像再生装置。